(57)【要約】【課題】撮像素子の特性を考慮して、電子ズーム使用時でも高画質のモニタ画像を得ることができ、タイムラグの影響を受けない画像も得られるカメラを提供することである。【解決手段】撮像素子１５は、少なくともその全画素に対応する画像データを読み出す全画素読み出しモードと、複数の画素の画像データを加算して読み出す加算画素読み出しモードを有している。撮影モードが電子ズームモードである場合は、上記加算画素読み出しモードで読み出した画像データに対応した画像を表示制御部２０がモニタ画像として表示部２１に表示する。また、記録制御部２４は、上記加算画素読み出しモードによる複数の画像データを仮記憶部１９に循環更新で記憶しておき、レリーズ操作に応答して、最後に仮記憶部１９に記憶された画像データを電子ズーム処理を施した画像データと共にメディア２５に記録させる。【選択図】      図１
2008035110.tif 000002
【特許請求の範囲】
【請求項１】
撮像素子の全画素に対応する画像データを読み出す第１読み出しモードと、撮像素子内で複数の画素の画像データを加算して読み出す第２読み出しモードとを少なくとも有する撮像素子と、上記画像データを表示する表示手段と、上記撮像素子から読み出した画像データを記録媒体に記録する記録手段と、を備え、撮影モードとして電子ズームモードを有するカメラに於いて、
上記撮影モードが電子ズームモードである場合は、上記第２読み出しモードによる読み出し画像をモニタ画像として表示すると共に、メモリに循環更新で記憶しておき、
レリーズ操作に応答して、上記メモリに記憶された第１の画像データを、上記第１読み出しモードで読み出した画像データの一部を切り出して得られる第２の画像データと共に上記記録媒体に記録することを特徴とするカメラ。
【請求項２】
上記記録された画像を表示させる際、上記撮影モードが電子ズームモードである場合には、上記記録された第１の画像データと第２の画像データを読み出して比較し、両者に差異があれば上記２つの画像を並列に上記表示手段に表示することを特徴とする請求項１に記載のカメラ。
【請求項３】
上記撮影モードが電子ズームモードであり、被写体の動きが所定値より小さい場合には、上記第２読み出しモードで読み出した画像データをモニタ用画像として上記表示手段に表示することを特徴とする請求項１に記載のカメラ。
【請求項４】
被写体画像を電気的に拡大処理する電子ズームモードを有するカメラに於いて、
撮像素子の全画素に対応する画像データを読み出す第１読み出しモードと、上記全画素の中で複数の画素の画像データを加算して読み出す第２読み出しモードと、を少なくとも有する撮像素子と、
画像データを表示する表示手段と、
上記撮影モードが電子ズームモードである場合に、上記第２読み出しモードによる画像データをモニタ画像として上記表示手段に表示させる表示制御手段と、
上記画像データを記録媒体に記録する記録手段と、
上記撮影モードが電子ズームモードである場合に、上記第２読み出しモードによる画像データをモニタ画像表示中に循環更新で記憶する記憶手段と、
上記撮影モードが電子ズームモードである場合に、上記記憶手段に記憶された第１の画像データを、レリーズ操作に応答して上記第１読み出しモードで読み出した画像データの一部を切り出して得られる第２の画像データと共に記録するように上記記録手段を制御する記録制御手段と、
を具備することを特徴とするカメラ。
【請求項５】
上記表示制御手段は、上記記録された画像を表示させる際、上記撮影モードが電子ズームモードである場合には、上記記録された第１の画像データと第２の画像データを読み出して比較し、両者に差異があれば上記２つの画像を並列に上記表示手段に表示することを特徴とする請求項４に記載のカメラ。
【請求項６】
上記表示制御手段は、上記撮影モードが電子ズームモードであり、被写体の動きが所定値より小さい場合には、上記第２読み出しモードで読み出した画像データに対応した画像を上記表示手段に表示することを特徴とする請求項４に記載のカメラ。
【請求項７】
高画素だが読み出しの遅い第１読み出しモードと、低画素だが読み出しの速い第２読み出しモードとを少なくとも有する撮像素子と、画像データを表示する表示手段と、上記撮像素子から読み出した画像データを記録媒体に記録する記録手段と、を備え、
上記第２読み出しモードによる読み出し画像をモニタ画として表示すると共に、メモリに循環更新で記憶しておき、
レリーズ操作に応答して、上記メモリに記憶された第１の画像データを、上記第１読み出しモードで読み出した画像データから得られる第２の画像データと共に上記記録媒体に記録することを特徴とするカメラ。
【発明の詳細な説明】
【技術分野】
【０００１】
本発明はデジタルカメラの改良に関し、より詳しくは、撮像素子の全域を利用した単純な静止画のみならず、撮像素子の一部画像を切り出して、デジタルズームや電子ズームと称される撮影モードでも撮影できるカメラに於いて、これらの撮影方法を駆使しつつ、その効果が分かりやすくモニタ可能な表示手段を具備したカメラに関するものである。
【背景技術】
【０００２】
近年、下記特許文献１のように、撮像素子の画素の読み出し時の間引き方を工夫して電子ズーム機能を持たせたカメラが知られている。
【特許文献１】特開２００１−４５３６４号公報
【発明の開示】
【発明が解決しようとする課題】
【０００３】
光学ズームは、画面中心部の拡大しかできないが、電子ズームを利用すると、ユーザの欲しい領域を拡大することが可能となる。更には、広角の画像と、拡大した望遠画像を同時に撮影したりという応用が可能となる。
【０００４】
また、画像の楽しみ方も多様になっており、Ｌ版等のプリント以外にも、ホームページへの添付や携帯電話器への送信、カメラ搭載の液晶等での鑑賞等、様々なケースを考えることができる。
【０００５】
しかしながら、これらの機能は、ユーザに十分に使いこなされているわけではなく、実際、電子ズーム機能は、光学式のズーム機能に比べて、カメラの中では重視されたスペックとはされていないものであった。
【０００６】
最近の撮像センサの急速な高画素化の中で、ますます電子ズーム時の画素数も増加しており、記録画像の画質は実用レベルに近づいているのに、これまで通りの考え方が踏襲されるのみで、モニタ画像の改良がなされていなかった。したがって、ユーザに、その効果を十分に訴求しきれなかったことが原因であると考えられている。
【０００７】
更に、上記特許文献に記載された電子ズーム方式では、電子ズームの利用時（拡大率が２倍を超える）には、表示用画像の間引き率の割合を小さくしてモニタ画像の画質を上げているが、撮影時にはタイムラグが発生し、シャッタチャンスを失う可能性があった。
【０００８】
したがって本発明は、上記実情に鑑みてなされたものであり、その目的は、ＣＣＤ等の撮像素子の特性を考慮して、電子ズーム使用時でも高画質のモニタ画像を得ることができ、タイムラグの影響を受けない画像も得られるカメラを提供することである。
【課題を解決するための手段】
【０００９】
すなわち請求項１に記載の発明は、撮像素子の全画素に対応する画像データを読み出す第１読み出しモードと、撮像素子内で複数の画素の画像データを加算して読み出す第２読み出しモードとを少なくとも有する撮像素子と、上記画像データを表示する表示手段と、上記撮像素子から読み出した画像データを記録媒体に記録する記録手段と、を備え、撮影モードとして電子ズームモードを有するカメラに於いて、上記撮影モードが電子ズームモードである場合は、上記第２読み出しモードによる読み出し画像をモニタ画像として表示すると共に、メモリに循環更新で記憶しておき、レリーズ操作に応答して、上記メモリに記憶された第１の画像データを、上記第１読み出しモードで読み出した画像データの一部を切り出して得られる第２の画像データと共に上記記録媒体に記録することを特徴とする。
【００１０】
請求項２に記載の発明は、請求項１に記載の発明に於いて、上記記録された画像を表示させる際、上記撮影モードが電子ズームモードである場合には、上記記録された第１の画像データと第２の画像データを読み出して比較し、両者に差異があれば上記２つの画像を並列に上記表示手段に表示することを特徴とする。
【００１１】
請求項３に記載の発明は、請求項１に記載の発明に於いて、上記撮影モードが電子ズームモードであり、被写体の動きが所定値より小さい場合には、上記第２読み出しモードで読み出した画像データをモニタ用画像として上記表示手段に表示することを特徴とする。
【００１２】
請求項４に記載の発明は、被写体画像を電気的に拡大処理する電子ズームモードを有するカメラに於いて、撮像素子の全画素に対応する画像データを読み出す第１読み出しモードと、上記全画素の中で複数の画素の画像データを加算して読み出す第２読み出しモードと、を少なくとも有する撮像素子と、画像データを表示する表示手段と、上記撮影モードが電子ズームモードである場合に、上記第２読み出しモードによる画像データをモニタ画像として上記表示手段に表示させる表示制御手段と、上記画像データを記録媒体に記録する記録手段と、上記撮影モードが電子ズームモードである場合に、上記第２読み出しモードによる画像データをモニタ画像表示中に循環更新で記憶する記憶手段と、上記撮影モードが電子ズームモードである場合に、上記記憶手段に記憶された第１の画像データを、レリーズ操作に応答して上記第１読み出しモードで読み出した画像データの一部を切り出して得られる第２の画像データと共に記録するように上記記録手段を制御する記録制御手段と、を具備することを特徴とする。
【００１３】
請求項５に記載の発明は、請求項４に記載の発明に於いて、上記表示制御手段は、上記記録された画像を表示させる際、上記撮影モードが電子ズームモードである場合には、上記記録された第１の画像データと第２の画像データを読み出して比較し、両者に差異があれば上記２つの画像を並列に上記表示手段に表示することを特徴とする。
【００１４】
請求項６に記載の発明は、請求項４に記載の発明に於いて、上記表示制御手段は、上記撮影モードが電子ズームモードであり、被写体の動きが所定値より小さい場合には、上記第２読み出しモードで読み出した画像データに対応した画像を上記表示手段に表示することを特徴とする。
【００１５】
請求項７に記載の発明は、高画素だが読み出しの遅い第１読み出しモードと、低画素だが読み出しの速い第２読み出しモードとを少なくとも有する撮像素子と、画像データを表示する表示手段と、上記撮像素子から読み出した画像データを記録媒体に記録する記録手段と、を備え、上記第２読み出しモードによる読み出し画像をモニタ画として表示すると共に、メモリに循環更新で記憶しておき、レリーズ操作に応答して、上記メモリに記憶された第１の画像データを、上記第１読み出しモードで読み出した画像データから得られる第２の画像データと共に上記記録媒体に記録することを特徴とする。
【発明の効果】
【００１６】
本発明によれば、画素加算や画素間引きができるシステムを利用して、電子ズームでの撮影に於いても、モニタ画面を有効に効果的に表示することを可能とし、シャッタチャンスを逃さないカメラを提供することができる。
【発明を実施するための最良の形態】
【００１７】
以下、図面を参照して、本発明の実施形態を説明する。
【００１８】
初めに、図２を参照して、一般的なデジタルカメラの電子ファインダ表示の考え方について説明する。
【００１９】
撮像素子である多くのＣＣＤでは、図２に示されるように、３つの画像データ読み出しモードを有している。先ず、図２（ａ）に示されるように、全画素を読み出す場合、高精度な画像が得られるため、通常の静止画撮影時に利用されている。但し、これは、１，０００万画素近くの全ての画素データを読み出すために多くの時間を要するので、例えば、１秒間に３〜４コマしか読み出すことができない（４ｆｐｓモードと称する）。
【００２０】
また、図２（ｂ）は、幾つかの画素を混合（加算）して読み出すため、画素数は図２（ａ）の場合よりは少ないが、より高速で読み出し可能となる。例えば、水平３画素、垂直３画素の９画素を加算（混合）して読み出す時には、秒間３０フレーム程度の速度での読み出しが可能となる。これは、例えば、１，０００万画素のＣＣＤでは約１００万画素の画像となる（３０ｆｐｓモードと称する）。
【００２１】
更に、図２（ｃ）は、この画素混合したものから間引いて出力するため、滑らかな動画として見られる６０フレーム／秒（ｆｐｓ）のスピードで読み出しが可能である。（尚、図は実際の間引き方と異なるが、分かりやすく表示している）。仮に全体の画素数が１０００万画素であるとき、この時得られる画像は約５０万画素となる。
【００２２】
このような、図２（ｃ）に示される６０ｆｐｓモードの画像は、プリントしたり写真用途には画質が十分ではないが、写真撮影時の構図を決めたり、画像を確認したりするカメラ内蔵の液晶パネル（ＬＣＤ）で観察するには、十分な画素数である。このＬＣＤは、一般に２０万画素相当なので、５０万画素からリサイズすれば問題ない画質となる。
【００２３】
したがって、図３（ａ）に示されるように、６０ｆｐｓモードの画像を観察しながら構図を決め、シャッタチャンスにレリーズボタンを押し込んで、撮影時には図３（ｂ）に示されるようなフル画素画面（４ｆｐｓモード）のモードに切り替えて撮影するようなシステムが一般的である。
【００２４】
しかしながら、一方で、図４（ａ）に示されるように、６０ｆｐｓモードの画像を見ながら、図４（ｂ）に示されるような４ｆｐｓモードの画像の一部だけを切り出す電子ズーム撮影では、図５（ａ）に示されるような拡大画面を見ながら、図５（ｂ）に示されるような一部の画像切り出し撮影を行うことになる。つまり、仮に全体の４分の１の面積の切り出しであれば、撮影時は２５０万画素の画素数を確保することができるのに、表示は５０万画素の１／４の画素数しかなくなってしまい、ＬＣＤの２０万画素を満たすことができなくなってしまう。これでは、構図は確認できても、例えば遠くの人物被写体の表情などは、つぶれてしまうことが多く、椅麗な絵が撮影できるかどうかをＬＣＤで確認することができない。つまり、電子ズーム時には、図３（ａ）、（ｂ）に示されるような６０ｆｐｓのモニタ画像、４ｆｐｓの撮影画像の関係という従来の延長の考え方では、満足できる写真撮影ができない。
【００２５】
そこで、本発明では、電子ズーム時には、図６（ａ）に示されるように、３０ｆｐｓモードの画像を利用してモニタ用画像を作成し、撮影時には、図６（ｂ）に示されるように、フル画素から切り出す方法を採用している。これによって、３０ｆｐｓモードの約１００万画素のうち、１／４の約２５万画素を表示に当てることができるので、ＬＣＤの画素数を満たすだけの高精細表示が可能になる。
【００２６】
このように、ＬＣＤの上で良好な画像が得られると、ユーザは撮影の意欲がそそられ、撮影時のストレスが軽くなる。但し、このような表示方法を利用すると、撮像素子からの読み出し周期が遅めになるので、レリーズ時に、表示を見てから撮影するとタイムラグによりチャンスを失う可能性も高くなる。そこで、本発明では、後述するように、電子ズームモードでの撮影時には、図７（ｂ）に示されるような４ｆｐｓモードでの高精細な画像と、図７（ａ）に示されるような撮影した時点のモニタ表示画像も記録しておき、タイムラグの小さい画像と高精細画像の両者を残せるようにしている。
【００２７】
次に、図１を参照して、本発明のカメラについて説明する。
【００２８】
図１は、本発明の一実施形態に係るデジタルカメラの基本構成を示したブロック図である。このデジタルカメラ（以下、カメラと略記する）は、メインＣＰＵ（以下、ＭＰＵと記す）１１と、ズーム制御部１２と、ズームレンズ（撮影レンズ）１３と、撮像素子１５と、アナログフロントエンド部（ＡＦＥ）１６と、画像処理回路１８と、仮記憶部１９と、表示制御部２０と、表示部２１と、画像比較部２３と、記録制御部２４と、メディア２５と、複数のスイッチ２８ａ、２８ｂ、２８ｃとを有して構成される。
【００２９】
制御手段としての機能を有するＭＰＵ１１はマイクロコントローラ等から構成されるもので、ユーザによる各種の操作をスイッチ２８ａ、２８ｂ、２８ｃの状態によって検出する。ＭＰＵ１１は、上記スイッチ２８ａ、２８ｂ、２８ｃの検出結果と所定のプログラムに従って、撮影時に上述した各ブロックをシーケンシャルに制御する。これらのスイッチ２８ａ、２８ｂ、２８ｃの操作に従って、ＭＰＵ１１内のモード切り替え部１１ａにより、撮影／再生のモード切り替えや撮影モードの切り替え等も行えるようになっている。また、本発明の特徴たるズーミングの操作も、このように構成されたスイッチをユーザが操作することを、ＭＰＵ１１が検知して実行する。
【００３０】
尚、スイッチ２８ａ〜２８ｃは、電源のオン、オフを行う電源スイッチ（２８ａ）や、レリーズ操作を行うためのレリーズスイッチ（２８ｂ）、撮影と再生やその他のスイッチ（２８ｃ）の機能を有しており、ユーザの操作を入力するものである。
【００３１】
被写体３０からの像は、ズームレンズ１３を介して多数の受光面（画素）から成るＣＭＯＳセンサやＣＣＤ等で構成される撮像素子１５で受光される。撮像素子１５では、これが電気的な信号に変換されるので、この結果がＡ／Ｄ変換部を含むＡＦＥ１６にてデジタル信号化され、更に画像処理回路１８に入力される。
【００３２】
この撮像素子１５は画素加算機能を有するものである。また、ＡＦＥ１６は、撮像素子１５の出力する信号を取捨選択する機能（切り出し部１６ａ）を有しており、全部の受光面から限られた範囲の画像データや、間引かれた画素データのみを抽出することができる。この制御によって、上述した４ｆｐｓモードや３０ｆｐｓモード、６０ｆｐｓモードが切り替えられる。
【００３３】
画像処理回路１８は、入力信号の色や階調やシャープネスを補正処理し、撮影時には、該画像処理回路１８内のＪＰＥＧコア部（図示せず）等、静止画像用の圧縮手段で圧縮された結果が、記録制御部（記録手段、記録制御手段）２４を介して記録部としてのメディア２５に記録される。この記録された圧縮データは、画像処理回路１８によって再生され、表示制御手段である表示制御部２０を介して、表示手段である表示部２１にて表示されて鑑賞可能になっている。また、この表示部２１は液晶や有機ＥＬ等から成るもので、カメラのファインダの機能を兼用している。
【００３４】
また、上記画像処理回路１８はリサイズ回路１８ａを有している。このリサイズ回路１８ａは、表示制御部２０によって制御される表示部２１に、撮像素子１５からの信号を表示できるように加工して入力させるものである。本発明では、電子ズームを利用しない場合には６０ｆｐｓモードの画像をモニタ用画像として表示部２１に表示し、電子ズーム時には拡大しても極力良好な画像が得られるように、３０ｆｐｓモードの画像を、そのときの電子ズームの状態に合わせて拡大してモニタ用画像として表示部２１に表示する。ユーザは、この表示部２１に表示されたモニタ画像を見ながら、撮影時に構図やタイミングを決めてレリーズ操作を行う。このモニタ画像は、従来のカメラの６０ｆｐｓモードの画像より高精細なので、電子ズーム時にも良好な画像を楽しみながら撮影を行うことができる。また、上述したように、電子ズームモードでの撮影時には２画像取得されているので、画像再生時には２つの画像が画像比較部２３に於いて比較され、２つの画像に大きな差異がある場合は、両者の画像が並べて表示されるようになっている。
【００３５】
更に、本カメラは仮記憶部１９を有しており、これによって、モニタ表示中の画像を記憶することが可能である。特に、６０ｆｐｓモードでは気にならなかった撮影時のタイムラグが問題にならないように、３０ｆｐｓモードでのモニタ画像を記憶しておくようにする。ユーザの操作は、上述したスイッチ２８ａ〜２８ｃの状態によって検出され、ＭＰＵ１１がそれを判定し、撮影時に各ブロックをシーケンシャルに制御する。
【００３６】
本発明の特徴たるズーミングの操作も、上述したスイッチ２８ａ〜２８ｃがユーザによって操作されたことがＭＰＵ１１にて検知されて実行される。すなわち、先ず、電子ズームモードの設定がなされている状態でズーム操作が行われると、ＭＰＵ１１の制御の下で、撮像素子１５から部分画像を切り出す処理がＡＦＥ１６により実行されて、切り出された部分画像が拡大処理されて全画像として表示部２１に表示され、記録媒体であるメディア２５に記録される。
【００３７】
電子ズーム時には、補足画像を合わせて記録できるようにしているが、それが、先の仮記憶部１９に記憶しておいたデータであり、これは、電子ズーム時に撮像素子１５から３０ｆｐｓモードで得られた画像である。後述するように、これはレリーズ操作に先立って常に記憶しておくようにする。但し、それを全て保持しておくと、仮記憶部１９の記憶容量も一杯になってしまうので、古い画像データを捨てて新規の画像データを格納する循環更新を行うようにしている。
【００３８】
次に、このような考え方に基づいて、本発明の一実施形態に於けるカメラの撮影動作について、図８のフローチャートを参照して説明する。尚、このカメラの動作は、主にカメラ内のＭＰＵ１１の制御によって行われる。
【００３９】
先ず、高速で被写体３０の様子をキャプチャして、カメラのファインダを兼用する表示部２１に表示させるために、ステップＳ１にて撮像素子１５のデータの６０ｆｐｓ（１秒間に３０フレームの速度）モードでの画像読み出しが実施される。次いで、ステップＳ２に於いて、表示される画像が６０ｆｐｓモードのものであるか否かが判定される。ここで、６０ｆｐｓモードであれば、ステップＳ４に移行して、仮記憶された画像データがクリアされる。そして、ステップＳ５にて、６０ｆｐｓモードで読み出された画像が表示部２１に表示される。そして、続くステップＳ６に於いて、撮影が実行されるか否かが判定される。
【００４０】
ここで、まだ撮影（レリーズ）操作に入らない場合は、ステップＳ７に移行する。次いで、ステップＳ７に於いて、ズーム操作が行われたか否かが判定される。ここで、ズーム操作が行われない場合は上記ステップＳ２へ移行し、ズーム操作が行われる場合はステップＳ８へ移行する。
【００４１】
そして、このステップＳ８に於いて、実行されるズーム操作が望遠（Ｔｅｌｅ）側であるのか広角（Ｗｉｄｅ）側であるのかが判定される。ここで、望遠側に操作されたならばステップＳ９に、広角側に操作されたならばステップＳ１０に、それぞれ移行して、それに応じたズーム制御が行われる。そして、ステップＳ１１に於いて、ズームレンズ１３のズーム範囲を外れて電子ズーム領域に移行したか否かが判定される。これは、例えばズームレンズ１３の位置等に基づいて、ＭＰＵ１１で判定される。
【００４２】
その結果、上記ステップＳ１１にて電子ズームの領域に入ったと判定されたならば、ステップＳ１２に移行して、３０ｆｐｓモードの画像が選択されて、電子ズームの状態に従って決定された範囲の像が仮記憶部１９に仮記憶される。このモードでの画像取得は、画素がそれほど粗くない状態から拡大表示されるので、上述したように表示時の見栄えが向上する。次いで、ステップＳ１３にて、例えば、上記ステップＳ１２のように、３０ｆｐｓモードでは画像データサイズが大きすぎるという場合、表示部２１に対応する画像を表示することができないので、リサイズ回路１８ａにて画像のサイズが調整される。その後、上記ステップＳ２へ移行する。
【００４３】
一方、上記ステップＳ１１に於いて、電子ズームの領域ではないと判定された場合は、ステップＳ１４に移行する。光学ズーム領域では、画素の粗い６０ｆｐｓの画像でも表示部２１上ではきれいに見えるので、ステップＳ１２にて６０ｆｐｓモードの画像が選択される。その後、上記ステップＳ２へ移行する。
【００４４】
ステップＳ２では、再び表示画像が６０ｆｐｓモードのものであるか否かが判定される。ここで、６０ｆｐｓモードである場合はステップＳ４に移行するが、電子ズームが行われた場合は上記ステップＳ１２にて３０ｆｐｓモードの画像となっているので、ステップＳ３へ移行して表示の切り替えが行われる。その後、ステップＳ５にて、何れかのモードの画像が表示部２１に表示される。
【００４５】
次いで、ステップＳ６にてレリーズ操作が実行されるならば、ステップＳ１５に移行して４ｆｐｓモードでの画像読み出しが行われる。これにより、高画質での記録を可能としている。次いで、ステップＳ１６にて、電子ズームの領域であるか否かが判定される。ここで、電子ズームの状態では、全域の画像ではなく、指定された範囲のみの画像が切り出されて記録されればよい。したがって、電子ズームの領域に於いては、ステップＳ１７に移行して、所定範囲の読み出し指定が行われる。もちろん、上記ステップＳ１６に於いて、電子ズーム以外の場合は範囲指定はなされないので、ステップＳ１７はスキップされる。
【００４６】
上記所定範囲の読み出し指定がなされた、或いは上記ステップＳ１６にて電子ズームでないと判定された場合は、ステップＳ１８に移行して、画像処理回路１８にて画像処理や圧縮処理が行われる。そして、ステップＳ１９にて、圧縮処理がなされた画像データが、記録制御部２４を介してメディア２５に記録される。
【００４７】
尚、上記ステップＳ１２の仮記憶によって、３０ｆｐｓモードでのモニタ画像相当は常に記憶されているので、仮にステップＳ１５のステップ実行までにタイムラグが生じても、モニタ画像相当は後で得ることができるようにしている。
【００４８】
以上説明したように、本実施形態によれば、図９に示されるように、ズームを行わない場合及び光学ズーム時（電子ズームモードでない）には、画面全域の画素を利用した高精細画像３１の記録がなされ、電子ズーム撮影時には、図１０（ａ）、（ｂ）に示されるように、タイミングを重視した表示画像相当の画像３２（図８のフローチャートのステップ１０で仮記憶されてステップＳ１９で本記録されたもの）と、４ｆｐｓモードの画像から切り出した高精細な画像３３の２つを記録するので、ユーザは好みに合わせて取捨選択して利用すればよい。例えば、カメラに装備されている表示部２１で見て楽しむならば図１０に示される画像３２で十分であるが、Ｌ版相当の大きさの用紙にプリントアウトすることを考慮するならば、高詳細な画像３３の方がよい。
【００４９】
また、撮影後にすぐに撮影結果を見たい状況では、図１１のフローチャートのように表示制御を行えばよい。
【００５０】
以下、図１１のフローチャートを参照して、本実施形態のカメラに於ける再生処理の動作について説明する。
【００５１】
本ルーチンに入ると、先ずステップＳ２１にて、電子ズーム時に２画像取得されているか否かが判定される。ここで、２画像が取得されていればステップＳ２２へ移行し、そうでなければステップＳ２５へ移行する。ステップＳ２２では、取得された２つの画像が画像比較部２３にて比較される。その結果、ステップＳ２３に於いて、２つの画像の差異が判定される。
【００５２】
ここで、２つの画像について、被写体の動き等によって大きな差異がある場合は、ステップＳ２４に移行して、両画像が比較されて表示されるようにする。このとき、画面中央部のみが、図１２に示されるように表示部２１に並列表示される（画像３５）。その後、本ルーチンを抜ける。
【００５３】
一方、上記ステップＳ２３に於いて２つの画像に差異が無いと判定された場合、或いは上記ステップＳ２１にて２つの画像が取得されていない場合は、ステップＳ２５にて４ｆｐｓモードの画像が優先的に表示される。その後、本ルーチンを抜ける。
【００５４】
尚、上述したフローチャートに於いては、取得された２つの画像に差異がある場合は表示部２１に並列に表示したが、ユーザが所望する方を選択できるようにして、選択した方のみ表示し、他は表示しないようにしてもよい。
【００５５】
また、上述した図８のフローチャートでは、電子ズーム時には必ず３０ｆｐｓモードにしたが、これに限られるものではない。例えば、被写体の動きに応じてモードを変更するようにしてもよい。
【００５６】
図１３は、こうした電子ズーム時のモニタ用画像表示の動作を説明するためのフローチャートである。
【００５７】
本ルーチンに入ると、先ず、ステップＳ３１にて被写体の動きが判定される。ここで、被写体の動きが（所定値と比べて）大きい、すなわち動きの速い被写体の場合は、ステップＳ３２に移行して、より動きを重視した６０ｆｐｓモード表示を採用できるようにしてもよい。被写体の動きは、随時得られる画像データを画像比較部２３で比較して画像データの変化を判定すればよい。これによって、速い被写体をちょうど良いタイミングで撮影したいときには、そのタイミングを逃さずに撮影が可能となる。
【００５８】
一方、上記ステップＳ３１にて、被写体の動きが（所定値と比べて）小さい、すなわち動きの少ない被写体（例えば、スピーチのときの人物の顔等）の場合は、ステップＳ３３に移行して、３０ｆｐｓモードが採用され、続くステップＳ３４にてリサイズが行われる。これにより、より精細なモニタ画像で、表情を確認しながらの撮影が可能となる。
【００５９】
以上、本発明の実施形態について説明したが、本発明は上述した実施形態に限定されるものではなく、本発明の要旨を逸脱しない範囲で種々の変形実施が可能であるのは勿論である。
【００６０】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６１】
【図１】本発明の一実施形態に係るデジタルカメラの基本構成を示したブロック図である。
【図２】一般的なＣＣＤの画像データ読み出しモードによる画像の表示例を示した図であり、（ａ）は４ｆｐｓモードの画像、（ｂ）は３０ｆｐｓモードの画像、（ｃ）は６０ｆｐｓモードの画像を示した図である。
【図３】（ａ）は６０ｆｐｓモードのモニタ用画像を示し、（ｂ）は４ｆｐｓモードの撮影画像を示し、レリーズにより、６０ｆｐｓモードの画像から４ｆｐｓモードの画像に切り替える例を示した図である。
【図４】６０ｆｐｓモードの画像を見ながら４ｆｐｓモードの一部だけを切り出す電子ズームの例を示した図である。
【図５】（ａ）は電子ズームにより６０ｆｐｓモードの画像の一部が拡大されたモニタ用画像を示し、（ｂ）は４ｆｐｓモードの画像の一部を切り出した撮像画像を示した図である。
【図６】本発明のデジタルカメラに採用されるもので、電子ズーム時には３０ｆｐｓモードの画像を利用してモニタ用画像を作成し、撮影時にはフル画素から切り出す方法について説明する図である。
【図７】（ａ）はレリーズ直前のモニタ表示画像を示した図、（ｂ）は４ｆｐｓモードでの高精細な撮像画像の例を示した図である。
【図８】本発明の一実施形態に於けるカメラの撮影動作について説明するためのフローチャートである。
【図９】ズームを行わない場合及び光学ズーム時の、画面全域の画素を利用した高精細画像３１の例を示した図である。
【図１０】電子ズームモードでの撮影により得られる画像の例を示したもので、（ａ）はタイミング優先の画像の例を示した図、（ｂ）は画素数優先の画像の例を示した図である。
【図１１】本発明の一実施形態のカメラに於ける再生時の表示処理の動作について説明するためのフローチャートである。
【図１２】図１１のフローチャートのステップＳ２４に於ける両画像表示の例を示した図である。
【図１３】本発明の一実施形態のカメラに於ける電子ズーム時のモニタ表示処理の動作を説明するためのフローチャートである。
【符号の説明】
【００６２】
１１…メインＣＰＵ（ＭＰＵ）、１２…ズーム制御部、１３…ズームレンズ（撮影レンズ）、１５…撮像素子、１６…アナログフロントエンド部（ＡＦＥ）、１８…画像処理回路、１９…仮記憶部、２０…表示制御部、２１…表示部、２３…画像比較部、２４…記録制御部、２５…メディア、２８ａ、２８ｂ、２８ｃ…複数のスイッチ、３０…被写体。
【図１】
2008035110.tif 000003
【図２】
2008035110.tif 000004
【図３】
2008035110.tif 000005
【図４】
2008035110.tif 000006
【図５】
2008035110.tif 000007
【図６】
2008035110.tif 000008
【図７】
2008035110.tif 000009
【図８】
2008035110.tif 000010
【図９】
2008035110.tif 000011
【図１０】
2008035110.tif 000012
【図１１】
2008035110.tif 000013
【図１２】
2008035110.tif 000014
【図１３】
2008035110.tif 000015